(57)【要約】【課題】簡単な構造で強度があり組み立てやすく、良好な使用感が得られる物干装置を提供する。【解決手段】ベース部材１２は、左右一対の弾性突起３４，４６、保持部２４、保持部２４から内向きに突出する支持部２６−Ｊを備える。アーム部材１４は、先端側がベース部材１２の貫通孔２２ｂ−Ｊに挿入され、係合枠部６２が保持部２４に係止され、基端部が弾性突起３４，４６により抜け止めされる。アーム部材１４は、縁部分に厚み方向に突出して形成され保持部２４の間を移動可能な係合枠部６２と、係合枠部６２の内側に形成された軸受け部６８ａを有する。係合枠部６２の外側の、軸受け部６８ａから離れた位置に、アーム部材１４の位置を保持する係止部７０ａを有する。ベース部材１２は、アーム部材１４と接触する部分が、合成樹脂製の第一及び第二のスペーサ１８，２０で覆われている。【選択図】図７
2015123343.tif 000002
【特許請求の範囲】
【請求項１】
内側に竿を受ける竿受け部を有するアーム部材と、
建築物に直接または間接的に固定される取り付け部、前記取り付け部から一対に突出しその間に前記アーム部材を保持する保持部、及び前記一対の保持部の各先端付近から内向きに突出し隙間を空けて対向する支持部を有したベース部材とで構成され、
前記アーム部材には、
基端側の縁部分に厚み方向に突出して形成され、その厚みが前記ベース部材の前記一対の支持部が対向する間隔よりも厚く、前記保持部の間を移動可能な係合枠部と、
前記係合枠部の内側に形成され、前記アーム部材が垂直方向以外の所定の角度で前記支持部に上方から当接する軸受け部と、
前記係合枠部の外側の、前記軸受け部から離れた位置に形成され、前記ベース部材の特定部分に当接して、前記アーム部材が前記軸受け部を中心として回転する力に抗して前記アーム部材の位置を保持する係止部とが設けられ、
前記ベース部材には、
前記支持部から離れた位置に形成され、前記アーム部材の前記係止部が当接する前記特定部分である受け部と、
前記取り付け部の内側に形成され、組み立て時に前記アーム部材を前記取り付け部の側から挿入可能にする貫通孔と、
組み立て状態で、前記貫通孔に挿入された前記アーム部材の基端部に接触して戻りを防止する抜け止め部とが設けられたことを特徴とする物干装置。
【請求項２】
前記ベース部材は、合成樹脂製の第一及び第二のスペーサをベース金具に取り付けたものであり、
前記ベース金具には、前記貫通孔が開口した前記取り付け部、前記一対の保持部、前記一対の支持部、及び前記受け部が設けられ、
前記第一及び第二のスペーサには、少なくとも前記保持部の内壁を覆う本体と、この本体から突出する弾性突起とが設けられ、
前記第一及び第二のスペーサを前記ベース金具に取り付けた状態で、前記弾性突起よって前記抜け止め部を構成し、
組み立て時、前記取り付け部の前記貫通孔に挿入された前記アーム部材の前記係合枠部は、前記弾性突起を押圧して変形させて隙間を広げて進行し、その隙間を通過した後、前記弾性突起の形状が復帰することによって前記アーム部材が抜け止めされ、
前記ベース部材は、使用時及び収納時の操作によって前記アーム部材と接触する部分が、第一及び第二のスペーサで覆われている請求項１記載の物干装置。
【請求項３】
前記アーム部材の前記係合枠部には、その一部を、前記アーム部材が形成する面と直交する方向である厚み方向に薄くした薄肉部が設けられ、
前記薄肉部は、組み立て時、前記弾性突起を押圧して広げた隙間を通過する部分であり、厚みが前記ベース部材の前記一対の支持部が対向する間隔よりも厚く、
前記係合枠部の前記薄肉部以外の部分の厚みは、前記弾性突起を押圧して広げた隙間を通過できない程度に厚い請求項２記載の物干装置。
【請求項４】
前記アーム部材の内側には、前記軸受け部の近傍の部分を厚くした突部が形成され、
前記突部は、前記ベース部材の前記一対の保持部が対向する間を移動可能な形状であり、
前記突部は、使用時、前記支持部をガイドすることによって、前記ベース部材の前記弾性突起が前記アーム部材の前記薄肉部に近づくのを妨げる請求項３記載の物干装置。
【請求項５】
前記アーム部材には、長手方向の側縁部分に、前記厚み方向に突出して形成され、その厚みが前記ベース部材の前記一対の支持部が対向する間隔よりも厚く、前記保持部の間を移動可能なレール部と、前記レール部の内側に形成され、前記保持部が通過可能な大きさに開口した作動空間とが設けられ、
前記ベース部材には、前記取り付け部と前記保持部と前記支持部とで形成されたガイド部が設けられ、
前記レール部を前記ガイド部に案内させて前記アーム部材を垂直方向に移動させ、前記支持部を前記作動空間内に通過させ、前記アーム部材を、前記保持部の突出方向に対し前記アーム部材が形成する面がほぼ直角になるように回動させ、前記アーム部材を前記保持部に係止可能である請求項１又は２記載の物干装置。
【発明の詳細な説明】
【技術分野】
【０００１】
本発明は、建築物の壁面やベランダの手摺壁等に取り付けられ、物干竿を掛け渡して使用する物干装置に関する。
【背景技術】
【０００２】
従来、例えば特許文献１に開示されているように、建築物に取り付けられたベース部材に、アーム部材を垂直面内で回動可能に取り付け、アーム部材を水平状態あるいは斜め上または下向き状態で固定して使用でき、不使用時にはアーム部材を垂直方向に回動して建築物の近くに収納できる物干装置があった。さらに、この物干装置は、アーム部材を垂直方向に収納した状態で、アーム部材の板状の面が建築物の壁面に対してほぼ平行になるように回動させ、壁面からの突出量を小さくすることができる。特許文献１の実施例に記載された物干装置は、ベース部材とアーム部材は、アルミニウム又はその合金が使用されている。ベース部材は、取り付け部、一方の保持部、及び支持部を一体に形成した第一の部材と、他方の保持部及び他方の支持部を一体に形成した第二の部材とで構成されている。組み立てるときは、まず第一の部材を建築物の壁面に当接させて螺子で固定し、アーム部材を第一の部材の保持部及び支持部に係合させた後、第二の部材を取り付けて螺子で第一の部材に固定する。
【先行技術文献】
【特許文献】
【０００３】
【特許文献１】特開２００４−２４８８６２号公報
【発明の概要】
【発明が解決しようとする課題】
【０００４】
しかしながら、特許文献１の物干装置は、組み立てる時、ベース部材を構成する第一及び第二の部材を螺子で固定する作業が面倒であった。また、使用時、金属製のベース部材とアーム部材とが接触することによって不快な金属音が発生するという問題もあった。
【０００５】
本発明は、上記背景技術に鑑みて成されたものであり、簡単な構造で強度があり組み立てやすく、良好な使用感が得られる物干装置を提供することを目的とする。
【課題を解決するための手段】
【０００６】
本発明は、内側に竿を受ける竿受け部を有するアーム部材と、建築物に直接または間接的に固定される取り付け部、前記取り付け部から一対に突出しその間に前記アーム部材を保持する保持部、及び前記一対の保持部の各先端付近から内向きに突出し隙間を空けて対向する支持部を有したベース部材とで構成され、前記アーム部材には、基端側の縁部分に厚み方向に突出して形成され、その厚みが前記ベース部材の前記一対の支持部が対向する間隔よりも厚く、前記保持部の間を移動可能な係合枠部と、前記係合枠部の内側に形成され、前記アーム部材が垂直方向以外の所定の角度で前記支持部に上方から当接する軸受け部と、前記係合枠部の外側の、前記軸受け部から離れた位置に形成され、前記ベース部材の特定部分に当接して、前記アーム部材が前記軸受け部を中心として回転する力に抗して前記アーム部材の位置を保持する係止部とが設けられ、前記ベース部材には、前記支持部から離れた位置に形成され、前記アーム部材の前記係止部が当接する前記特定部分である受け部と、前記取り付け部の内側に形成され、組み立て時に前記アーム部材を前記取り付け部の側から挿入可能にする貫通孔と、組み立て状態で、前記貫通孔に挿入された前記アーム部材の基端部に接触して戻りを防止する抜け止め部とが設けられた物干装置である。
【０００７】
前記ベース部材は、合成樹脂製の第一及び第二のスペーサをベース金具に取り付けたものであり、前記ベース金具には、前記貫通孔が開口した前記取り付け部、前記一対の保持部、前記一対の支持部、及び前記受け部が設けられ、前記第一及び第二のスペーサには、少なくとも前記保持部の内壁を覆う本体と、この本体から突出する弾性突起とが設けられ、前記第一及び第二のスペーサを前記ベース金具に取り付けた状態で、前記弾性突起よって前記抜け止め部を構成し、組み立て時、前記取り付け部の前記貫通孔に挿入された前記アーム部材の前記係合枠部は、前記弾性突起を押圧して変形させて隙間を広げて進行し、その隙間を通過した後、前記弾性突起の形状が復帰することによって前記アーム部材が抜け止めされ、前記ベース部材は、使用時及び収納時の操作によって前記アーム部材と接触する部分が、第一及び第二のスペーサで覆われているものである。
【０００８】
前記アーム部材の前記係合枠部には、その一部を、前記アーム部材が形成する面と直交する方向である厚み方向に薄くした薄肉部が設けられ、前記薄肉部は、組み立て時、前記弾性突起を押圧して広げた隙間を通過する部分であり、厚みが前記ベース部材の前記一対の支持部が対向する間隔よりも厚く、前記係合枠部の前記薄肉部以外の部分の厚みは、前記弾性突起を押圧して広げた隙間を通過できない程度に厚いものである。
【０００９】
前記アーム部材の内側には、前記軸受け部の近傍の部分を厚くした突部が形成され、前記突部は、前記ベース部材の前記一対の保持部が対向する間を移動可能な形状であり、前記突部は、使用時、前記支持部をガイドすることによって、前記ベース部材の前記弾性突起が前記アーム部材の前記薄肉部に近づくのを妨げるものである。
【００１０】
前記アーム部材には、長手方向の側縁部分に、前記厚み方向に突出して形成され、その厚みが前記ベース部材の前記一対の支持部が対向する間隔よりも厚く、前記保持部の間を移動可能なレール部と、前記レール部の内側に形成され、前記保持部が通過可能な大きさに開口した作動空間とが設けられ、前記ベース部材には、前記取り付け部と前記保持部と前記支持部とで形成されたガイド部が設けられ、前記レール部を前記ガイド部に案内させて前記アーム部材を垂直方向に移動させ、前記支持部を前記作動空間内に通過させ、前記アーム部材を、前記保持部の突出方向に対し前記アーム部材が形成する面がほぼ直角になるように回動させ、前記アーム部材を前記保持部に係止可能なものである。
【発明の効果】
【００１１】
本発明の物干装置は、構造がシンプルで組み立てやすく、使用時には、竿や洗濯物を確実に保持することができる。また、使用時、アーム部材の角度を変える操作が非常に簡単で、例えば、アーム部材に竿を渡した状態でもワンアクションで行うことができるので、洗濯物を干したまま、日光の角度や天候に合わせて容易に調整できる。さらに、ベース部材に設けた抜け止め部等の働きによって、アーム部材の基端部がベース部材から外れないように確実に抜け止めされるので、使用者がアーム部材を操作するとき、アーム部材の基端側が抜け出て建築物を傷つけたり、アーム部材自体が破損したりするのを防止することができる。
【００１２】
また、ベース部材を、ベース金具と合成樹脂製の第一及び第二のスペーサとで構成し、アーム部材と接触する部分の表面が第一及び第二のスペーサで覆われる構造にすることによって、上記の操作を行ったときに、不快な騒音が発生しない。収納時は、アーム部材を垂直方向に収納し、さらに倒しておくことができるので、建築物からの突出量が小さく邪魔にならない。
【図面の簡単な説明】
【００１３】
【図１】本発明の物干装置の一実施形態の外観を示す平面図（ａ）、表面図（ｂ）である。
【図２】この実施形態の物干装置のベース金具を示す左側面図（ａ）、正面図（ｂ）、右側面図（ｃ）、Ａ１−Ａ１断面図（ｄ）、Ａ２−Ａ２断面図（ｅ）である。
【図３】この実施形態の物干装置の第一のスペーサを示す正面図（ａ）、左側面図（ｂ）、背面図（ｃ）、平面図（ｄ）、底面図（ｅ）、Ｂ１−Ｂ１断面図（ｆ）である。
【図４】この実施形態の物干装置の第二のスペーサを示す正面図（ａ）、左側面図（ｂ）、背面図（ｃ）、平面図（ｄ）、底面図（ｅ）、Ｃ１−Ｃ１断面図（ｆ）である。
【図５】ベース金具と第一及び第二のスペーサとでベース部材を組み立てる方法を説明する図（ａ）、組み立てたベース部材の正面図（ｂ）、縦断面図（ｃ）である。
【図６】この実施形態の物干装置のアーム部材を示す左側面図（ａ）、正面図（ｂ）、右側面図（ｃ）、Ｄ１−Ｄ１断面図（ｄ）、Ｄ２−Ｄ２断面図（ｅ）、Ｄ３−Ｄ３断面図（ｆ）、Ｄ４−Ｄ４断面図（ｇ）、Ｄ５−Ｄ５断面図（ｈ）、Ｄ６−Ｄ６断面図（ｉ）である。
【図７】ベース部材にアーム部材を取り付ける方法を説明する左側面図である。
【図８】ベース部材にアーム部材を取り付ける工程を説明する縦断面図（ａ）、（ｂ）である。
【図９】ベース部材にアーム部材を取り付ける工程を説明する縦断面図（ａ）、（ｂ）である。
【図１０】使用時、アーム部材が斜め上向きの角度に保持された状態を正面から見た縦断面図（ａ）、水平な角度に保持された状態を正面から見た縦断面図（ｂ）、斜め下向きの角度に保持された状態を正面から見た縦断面図（ｃ）である。
【図１１】アーム部材を垂直な角度にして収納する操作を説明する縦断面図（ａ），（ｂ）である。
【図１２】収納時、アーム部材を建築物に対して略平行に倒した状態を正面から見た縦断面図（ａ）、右側面図（ｂ）である。
【発明を実施するための形態】
【００１４】
以下、本発明の物干装置の一実施形態について説明する。この実施形態の物干装置１０は、図１に示すように、建築物Ｋの壁面に取り付けられるベース部材１２と、ベース部材１２に保持されるアーム部材１４を備えている。まず、ベース部材１２及びアーム部材１４の各構造について、図２〜図６に基づいて説明する。
【００１５】
ベース部材１２は、ベース金具１６と第一及び第二のスペーサ１８，２０とで構成されている。ベース金具１６は、アルミニウムまたはその合金で一体に鋳造され、図２に示すように、角筒状の取り付け部２２が設けられ、一方の端面が建築物Ｋに当接する端面２２ａである。取り付け部２２内の貫通孔２２ｂは、断面形状が上下方向に長い略長方形で、後述するアーム部材１４を挿入可能な大きさになっている。さらに、端面２２ａ側の上下両端部に、ボルト等の螺子部材を用いて建築物Ｋに固定するための螺子止め部２２ｃが設けられている。
【００１６】
取り付け部２２の左右方向に対向する一対の側壁の端部であって、端面２２ａと反対側には、それぞれ上下方向の約3/5の幅で上寄りの部分に、側壁を延長する方向に突出して対向する一対の保持部２４が延設されている。さらに、保持部２４の各先端付近の中央やや下寄りの位置に、内向きに突出する一対の支持部２６が設けられている。支持部２６は、断面が長方形の両端部を半円弧状に丸くした形状であり、一定の間隔を空けて互いに対向している。また、図２（ｄ）に示すように、保持部２４及び取り付け部２２が連続する内壁の右周縁部に、やや薄肉になった段部２８が設けられている。
【００１７】
取り付け部２２の上下方向に対向する側壁は、端面２２ａと反対側の端面２２ｄ，２２ｅが互いに面一であり、端面２２ｄ，２２ｅと一対の支持部２６とで囲む内側にガイド部３０が形成される。また、下側の端面２２ｅは、アーム部材１４を保持する際の受け部３２となる。ガイド部３０、受け部３２については、後述する。
【００１８】
第一のスペーサ１８は、POM樹脂（polyoxymethylene）等の合成樹脂で一体に形成され、図３に示すように、薄肉の板状本体３３を有している。板状本体３３は、ベース金具１６の一方の保持部２４の内壁、及び取り付け部２２の内壁の一部を覆う大きさである。板状本体３３の正面視で左側の端部には、小形の弾性突起３４が形成されている。弾性突起３４は、略Ｌ字状の板であり、板状本体３３から背面側に僅かに突出し、先端部が正面視で右側に屈曲している。なお、図３（ａ），（ｃ），（ｆ）において弾性突起３４の背面に見える略四角形の部分は、成型時に弾性突起３４を形成した型を抜くための透孔である。板状本体３３の正面視で右側の端部には、板状本体３３から略垂直方向に起立する薄肉の筒状カバー部３６が設けられている。筒状カバー部３６は内側が貫通しており、内側の形状は、ベース金具１６の支持部２６の外形とほぼ同じである。板状本体３３の正面視で右周縁部には、やや厚肉になった段部３８が設けられている。段部３８は、ベース金具１６に取り付けたとき、ベース金具１６の段部２８に係合する形状になっている。板状本体３３の正面視で上下端部には、それぞれ上カバー部４０と下カバー部４２が形成されている。上カバー部４０は、ベース金具１６に取り付けたとき、ベース金具１６の端面２２ｄと保持部２４の側端面２４ａを覆う部分であり、下カバー部４２は、ベース金具１６の端面２２ｅ（受け部３２）を覆う部分である。
【００１９】
第二のスペーサ２０も、POM樹脂等の合成樹脂で一体に形成され、図４に示すように、第一のスペーサ１８と厚み方向に対称な形状である。第二のスペーサ２０の板状本体４４、弾性突起４６、筒状カバー部４８、段部５０、上カバー部５２、下カバー部５４は、それぞれ、第一のスペーサ１８の板状本体３３、弾性突起３４、筒状カバー部３６、段部３８、上カバー部４０、下カバー部４２に対応する。
【００２０】
ベース部材１２を組み立てるときは、図５（ａ）に示すように、ベース金具１６の一対の保持部２４の間に第一及び第二のスペーサ１８，２０を差し入れて、筒状カバー部３６，４８の内側に、それぞれ、ベース金具１６の支持部２６を挿入する。すると、図５（ｂ）に示すように、支持部２６の側面が筒状カバー部３６，４８で覆われ、ベース金具１６の保持部２４の内壁及び取り付け部２２の内壁の一部が板状本体３３，４４で覆われる。また、ベース金具１６の端面２２ｄと保持部２４の側端面２４ａの一部が、第一及び第二のスペーサ１８，２０の上カバー部４０，５２によって覆われると共に、端面２２ｅ（受け部３２）が、下カバー部４２，５４によって覆われる。そして、板状本体３３，４４の段部３８，５０が保持部２４及び取り付け部２２の内壁に設けられた段部２８に係合することによって、第一及び第二のスペーサ１８，２０が位置決めされ、２つの弾性突起３４，４６の先端部が互いに対向する。
【００２１】
組み立てられたベース部材１２は、図５、図８等に示すように、ベース金具１６の支持部２６の側面が第一及び第二のスペーサ１８，２０によって覆われ、覆われた表面がベース部材１２の支持部２６−Ｊとなる。ベース金具１６の貫通孔２２ｂ及び保持部２４の内壁が第一及び第二のスペーサ１８，２８によって覆われ、覆われた内側がベース部材１２の貫通孔２２ｂ−Ｊとなる。ベース金具１６のガイド部３０を構成する端面２２ｄ，２２ｅ及び支持部２６の側面が第一及び第二のスペーサ１８，２８で覆われ、覆われた部分がベース部材１２のガイド部３０−Ｊとなる。ベース金具１６の受け部３２が第一及び第二のスペーサ１８，２０で覆われ、覆われた表面がベース部材１２の受け部３２−Ｊとなる。さらに、ベース金具１６の側端面２４ａの部分が第一及び第二のスペーサ１８，２８で覆われ、覆われた表面がベース部材１２の側端面２４ａ−Ｊとなる。
【００２２】
アーム部材１４は、アルミニウム又はその合金で一体に鋳造され、図６等に示すように、長尺板状の本体部５６を有し、その内側に、竿を受けるための透孔である３つの竿受け部５８が長手方向の先端側に寄せて設けられている。本体部５６の厚みは、ベース部材１２が有する一対の支持部２６−Ｊが対向する間隔よりも薄い。本体部５６の長手方向の上側縁部に、本体部５６の周縁部に形成された枠部の一部であるレール部６０が設けられている。レール部６０は真っ直ぐな円柱形状であり、厚みは本体部５６の厚みよりも厚く、ベース部材１２の貫通孔２２ａ−Ｊ内を移動できる程度に薄く、ベース部材１２のガイド部３０−Ｊに案内されてスライド可能に形成されている。本体部５６の基端側のＵ字状の縁部分には、レール部６０とほぼ同じ厚みで、前記ガイド部３０−Ｊの内側を移動可能な係合枠部６２が設けられている。また、本体部５６の下側縁部分と先端側の縁部分には、デザイン性を考慮して、レール部６０を延長するように装飾用枠部６４が設けられている。
【００２３】
３つの竿受け部５８のうち、中央の竿受け部５８の開口は、レール部６０の円柱形状の周面の位置まで広く延長され、このレール部６０寄りの開口部分は、ベース部材の保持部２６が通過可能な作動空間６６である。
【００２４】
係合枠部６２の内側であってレール部６０に近い位置に、係合枠部６２の一部を半円弧状に切り込んで形成された軸受け部６８（６８ａ，６８ｂ，６８ｃ）が設けられている。軸受け部６８は、アーム部材１４が垂直以外の所定の角度でベース部材１２に支持されるとき、支持部２６−Ｊの側面に上方から当接する部分である。また、係合枠部６２の軸受け部６８から離れた位置に、係合枠部６２から外側に突出する複数の傾斜面である係止部７０（７０ａ，７０ｂ，７０ｃ）が設けられている。係止部７０は、軸受け部６８よりも下側の位置に設けられ、アーム部材１４が自重により軸受け部６８を中心として回転する力によって、ベース部材１２の受け部３２に当接し、係止される部分である。
【００２５】
係合枠部６２には、軸受け部６８と係止部７０の間の部分に、薄肉部７２が設けられている。薄肉部７２は、組み立て時、ベース部材１２の２つの弾性突起３４，４６を押圧しその間を通過する部分であり、厚みはベース部材１２の一対の支持部２６−Ｊが対向する間隔よりも厚い。これに対して、係合枠部６２の薄肉部７２以外の部分の厚みは、２つの弾性突起３４，４６の間を通過できない程度に厚い。
【００２６】
装飾用枠部６４の本体部５６先端側の部分には、薄肉部７４が設けられている。薄肉部７４は、組み立て時、ベース部材１２の２つの弾性突起３４，４６を押圧しその間を通過する部分であり、厚みはベース部材１２の一対の支持部２６−Ｊが対向する間隔よりも薄い。
【００２７】
本体部５６には、係合枠部６２に囲まれた内側の位置に、本体部５６の厚み方向に突出するリブ状の突部７６が、両面一対に設けられている。ここでは、突部７６は薄肉部７２と連続させ、突部７６の先端面と薄肉部７２の表面とを面一にしている。したがって、突部７６は、組み立て状態で、ベース部材１２の貫通孔２２ｂ−Ｊ内を移動できるが、一対の支持部２６−Ｊの間を通過することはできない。
【００２８】
本体部５６の、作動空間６６の薄肉部７４側にある本体部５６の端縁部は、第一の引掛け部７８ａとなり、第一の引掛け部７８ａの近傍に本体部５６の厚み方向に突出する第二の引掛け部７８ｂが設けられている。第二の引掛け部７８ｂの突出高さは、レール部６０の厚みの範囲に収まっている。
【００２９】
次に、ベース部材１２とアーム部材１４を組み立てて、物干装置１０を建築物Ｋに設置する方法について、図７〜９に基づいて説明する。まず、図７に示すように、アーム部材１４の先端側を、ベース部材１２の端面２２ａの側から貫通孔２２ｂ−Ｊに真っ直ぐ差し込む。貫通孔２２ｂ−Ｊ内は、一対の支持部２６−Ｊの間と一対の弾性突起３４，４６の間とが狭くなっているが、図８（ａ）に示すように、アーム部材１４の薄肉部７４がこれらの間を通過する。
【００３０】
さらにアーム部材１４を進行させると、基端側の薄肉部７２が弾性突起３４，４６の位置に達し、図８（ｂ）に示すように、薄肉部７２が弾性突起３４，４６の間に入り、これらを押圧して間隔を広げて進行する。その後、薄肉部７２が弾性突起３４，４６の間から抜け出る少し手前で、図９（ａ）に示すように、突部７６の竿受け部５８側の端部が支持部２６−Ｊに接触し、アーム部材１４が真っ直ぐ進行できなくなる。次に、図９（ｂ）に示すように、アーム部材１４の先端側を下方に傾ける操作を行うと、突部７６の端部が支持部２６−Ｊの半円状の側面を摺動することによって当接が解除される。そして、薄肉部７２が弾性突起３４，４６の間を完全に通過すると、弾性突起３４，４６の形状が復帰し、間隔が狭くなる。これで、ベース部材１２とアーム部材１４の組み立てが終了する。
【００３１】
図９（ｂ）の状態で、アーム部材１４の係合枠部６２がベース部材１２の支持部２６−Ｊと弾性突起３４，４６の間の空間に入っており、アーム部材１４は、差し込み方向の移動が支持部２６−Ｊによって制限され、抜き取り方向の移動が抜け止め部である弾性突起３４，４６によって制限される。また、ベース部材１２の支持部２６−Ｊが、アーム部材１４の係合枠部６２と突部７６とで囲まれた狭い空間に入っており、これにより、アーム部材１４の上下方向の移動が制限される。しかも、突部７６が支持部２６−Ｊの側面の下側をガイドすることによって、アーム部材１４の薄肉部７２がベース部材１２の弾性突起３４，４６に近づくのが妨げられるので、後述する使用時の操作を乱暴に行ったとしても、アーム部材１４が抜き取り方向に外れる心配がない。ただし、物干装置１０を分解する必要があるときは、上記の組み立てるときの操作（例えば、図９（ｂ）で説明したアーム部材１４をやや下方に傾けるという操作等）を逆に行うことで、無理なくアーム部材１４を抜き取ることができる。
【００３２】
ベース部材１２とアーム部材１４の組み立てが終わると、建築物Ｋの壁面にベース部材１２端面２２ａを当接させ、螺子止め部２２ｃにボルト等の螺子部材を差し込んで固定する。これで、図１に示す設置状態になる。
【００３３】
次に、物干装置１０を使用するときの操作について、図１０に基づいて説明する。アーム部材１４の角度を斜め上向きにする操作は、図１の状態から、アーム部材１４の先端側を一旦高く引き上げ、アーム部材１４の軸受け部６８ｃをベース部材１２の支持部２６−Ｊの上方から当接させる。そして、アーム部材１４を、軸受け部６８ｃを中心として、先端側が建築物Ｋから離れる方向に回動させる。すると、図１０（ａ）に示すように、アーム部材１４の係止部７０ｃが、ベース部材１２の受け部３２−Ｊに当接して位置決めされる。この状態で、竿受け部５８に竿を取り付けて洗濯物を干すと、竿や洗濯物の重みでアーム部材１４の先端側に下向きの力がかかる。この力は、アーム部材１４の軸受け部６８ｃから支持部２６−Ｊ及び保持部２４で受けられるとともに、アーム部材１４の係止部７０ｃが当接する受け部３２−Ｊで受けられ、アーム部材１４が回動のモーメントに抗して保持される。
【００３４】
アーム部材１４の角度を水平に変更する操作は、図１０（ａ）の状態から、まず、アーム部材１４の軸受け部６８ｃをベース部材１２の支持部２６−Ｊから上方に離すとともに、アーム部材１４の係止部７０ｃを受け部３２−Ｊから離す。そして、アーム部材１４の軸受け部６８ｂを支持部２６−Ｊの上方から当接させ、アーム部材１４を軸受け部６８ｂを中心として回動させる。すると、図１０（ｂ）に示すように、アーム部材１４の係止部７０ｂが、ベース部材１２の受け部３２−Ｊに当接して位置決めされる。この場合も、アーム部材１４にかかる力は、アーム部材１４の軸受け部６８ｂから支持部２６−Ｊ及び保持部２４で受けられるとともに、アーム部材１４の係止部７０ｂが当接する受け部３２−Ｊで受けられ、アーム部材１４が回動のモーメントに抗して保持される。
【００３５】
アーム部材１４の角度を斜め下向きに変更する操作は、図１０（ｂ）の状態から、まず、アーム部材１４の軸受け部６８ｂをベース部材１２の支持部２６−Ｊから上方に離すとともに、アーム部材１４の係止部７０ｂを受け部３２−Ｊから離す。そして、アーム部材１４の軸受け部６８ａを支持部２６−Ｊの上方から当接させ、アーム部材１４を軸受け部６８ａを中心として回動させる。すると、図１０（ｃ）に示すように、アーム部材１４の係止部７０ａが、ベース部材１２の受け部３２−Ｊに当接して位置決めされる。この場合も、アーム部材１４にかかる力は、アーム部材１４の軸受け部６８ａから支持部２６−Ｊ及び保持部２４で受けられるとともに、アーム部材１４の係止部７０ａが当接する受け部３２−Ｊで受けられ、アーム部材１４が回動のモーメントに抗して保持される。
【００３６】
このように、アーム部材１４の角度を変更する操作は非常に簡単である。例えば、２つアーム部材１４に竿を掛け渡した状態でも、竿を上げたり降ろしたりする操作により、２つのアーム部材１４の角度をワンアクションで変更することができる。
【００３７】
次に、物干装置１０を使用した後、アーム部材１４を収納する操作について、図１１、図１２に基づいて説明する。まず、図１０（ｃ）の状態から、アーム部材１４の軸受け部６８ａをベース部材１２の支持部２６−Ｊから上方に離すとともに、アーム部材１４の係止部７０ａを受け部３２−Ｊから離し、図１１（ａ）に示すように、アーム部材１４を建築物Ｋに近づける方向に回動させてほぼ垂直にする。そして、アーム部材１４を下向きに移動させる。すると、アーム部材１４は、レール部６０がベース部材１２のガイド部３０−Ｊに案内されて垂直方向にスライドし、図１１（ｂ）に示すように、第二の引掛け部７８ｂがベース部材１２の支持部２６−Ｊの上方に当接して保持される。この状態で、アーム部材１４は、本体部５６が形成する面が保持部２４の突出方向に対してほぼ平行であり、建築物Ｋの壁面から大きく突出している。
【００３８】
さらに、アーム部材１４を、ガイド部３０−Ｊの内側のレール部６０を軸にして回動させ、図１２に示すように、本体部５６が形成する面を保持部２４の突出方向に対してほぼ直角にする。このとき、ベース部材１２の保持部２４（保持部２４を覆う第一及び第二スペーサ１８，２０の部分を含む）がアーム部材１４の作動空間６６の内側を通過するので、支障なく回動させることができる。アーム部材１４を回動させた後は、第二の引掛け部７８ａがベース部材１２の保持部２４の側端面２４ａ−Ｊに当接して保持される。
【００３９】
以上説明したように、物干装置１０は、ベース部材１２及びアーム部材１４の構造がシンプルで組み立てやすく、使用時には、竿や洗濯物を確実に保持することができる。また、使用時、アーム部材１４の角度を変える操作が簡単で、例えば、アーム部材１４に竿を渡した状態でもワンアクションで行うことができるので、洗濯物を干したまま、日光の角度や天候に合わせて容易に調整できる。収納時には、アーム部材１４を垂直方向に収納し、さらに倒しておくことができるので、建築物Ｋからの突出量が小さく邪魔にならない。
【００４０】
ベース部材１２は、アーム部材１４と接触する部分の表面が合成樹脂製の第一及び第二のスペーサ１８，２０で覆われているので、上記の操作を行ったときに、ベース金具１６とアーム部材１４とが接触するときの不快な金属音が発生しない。また、抜け止め部である弾性突起３４，４６や突部７６の働きにより、アーム部材１４の基端部がベース部材１２から外れないように確実に抜け止めされるので、使用者がアーム部材１４を操作するとき、アーム部材１４の基端側が抜け出て建築物Ｋを傷つけたり、アーム部材１４自体が破損したりするのを防止することができる。
【００４１】
なお、本発明の物干装置は、上記実施形態に限定されるものではない。上記のアーム部材１４は、３つの軸受け部６８ａ，６８ｂ，６８ｃと３つの係止部７０ａ，７０ｂ，７０ｃとを有し、使用時の角度を３段階に可変できるタイプであるが、例えば、軸受け部６８ｃと係止部７０ｃを省略して２段階に可変できるタイプを設けたり、これらの配置を変更することによって、３段階の角度の差が異なるタイプを設けたりすることができる。しかも、これらの各タイプは、同一のベース部材で対応できるので、商品バリエーションの拡充が容易である。
【００４２】
上記のベース部材１２は、ベース金具１６の表面を合成樹脂製の別部材（第一及び第二のスペーサ１８，２０）を用いて覆う構造であるが、インサート成形により金属等の高強度の素材の表面に合成樹脂層を設ける構造にしてもよい。また、抜け止め部は、上記のＬ字状の弾性突起３４，４６を一対に設ける構造に限定されず、弾性突起を片方だけに設ける構造にしてもよいし、アーム部材の係合枠部が通過しやすく抜け出しにくい構造であれば、他の構造に変更してもよい。
【００４３】
ベース部材の取付位置や取付個所は、建築物Ｋの壁面以外に、天井部分や支柱等適宜選択可能である。さらにベース部材とアーム部材の形状、竿受け部の数や形状等、自由に変更可能である。
【符号の説明】
【００４４】
１０  物干装置
１２  ベース部材
１４  アーム部材
１６  ベース金具
１８  第一のスペーサ
２０  第二のスペーサ
２２  ベース金具の取り付け部
２２ａ  ベース金具の端面
２２ｂ  ベース金具の貫通孔
２２ｂ−Ｊ  ベース部材の貫通孔
２４  ベース金具の保持部
２４ａ  ベース金具の側端面
２４ａ−Ｊ  ベース部材の側端面
２６  ベース金具の支持部
２６−Ｊ  ベース部材の支持部
３０  ベース金具のガイド部
３０−Ｊ  ベース部材のガイド部
３２  ベース金具の受け部
３２−Ｊ  ベース部材の受け部
３３，４４  板状本体
３４，４６  弾性突起（抜け止め部）
５６  本体部
５８  竿受け部
６０  レール部
６２  係合枠部
６６  作動空間
６８（６８ａ，６８ｂ，６８ｃ）  軸受け部
７０（７０ａ，７０ｂ，７０ｃ）  係止部
７２，７４  薄肉部
７６  突部
Ｋ  建築物
【図１】
2015123343.tif 000003
【図２】
2015123343.tif 000004
【図３】
2015123343.tif 000005
【図４】
2015123343.tif 000006
【図５】
2015123343.tif 000007
【図６】
2015123343.tif 000008
【図７】
2015123343.tif 000009
【図８】
2015123343.tif 000010
【図９】
2015123343.tif 000011
【図１０】
2015123343.tif 000012
【図１１】
2015123343.tif 000013
【図１２】
2015123343.tif 000014